(57)【要約】  車両シートに締められるのに適切なヘッドレスト（１００）は、上側支持部（Ｓ）、上側支持部（Ｓ）を車両シートに締めるために上側支持部（Ｓ）に接続される補強フレーム（５）、及びヘッドレスト（１００）に取得されたシートの内側に配置されたマイクロホン（Ｍ）を備えるマイクロホン（Ｍ）のアレイを含み、それにより、マイクロホン（Ｍ）は、音をヘッドレスト（１００）が接続されるシート上に座っているユーザからキャプチャするために使用されることができ、同様に、環境マイクロホンは、ヘッドレスト（１００）の周りで感知された環境ノイズをキャプチャするために使用されることができる。【選択図】図３
2021510990.tif 000002
【特許請求の範囲】
【請求項１】
車両シートに締められるのに適切なヘッドレスト（１００）であって、
ユーザの頭部を置くことを意図する前面半分体（１）であって、前記前面半分体（１）は凹面を有する、前面半分体（１）と、
前記前面半分体（１）に接続される背面半分体（２）であって、前記背面半分体（２）は前記前面半分体（１）の前記凹面に対面する凹面を有し、それにより、２つの半分体（１，２）はチャンバを形成し、前記背面半分体（２）は、環状シート（２０）を画定する縁を有する貫通孔（２６）を伴う背面壁（２５）を備える、背面半分体（２）と、
前記２つの半分体（１，２）の少なくとも１つに接続され、前記車両シートに固定することが意図される、補強フレーム（５）と、
低周波数で動作する、サブウーファタイプのラウドスピーカー（３；１０３）であって、前記ラウドスピーカー（３；１０３）は少なくとも１つの膜（３１；１３１ａ，１３１ｂ）を有し、前記ラウドスピーカー（３；１０３）は、前記前面半分体（１）によって、前記背面半分体（２）によって、及び前記ラウドスピーカーの前記膜（３１；１３１ａ）によって画定される前面チャンバ（Ａ）を形成するように、前記背面半分体（２）の前記環状シート（２０）内に配置される、ラウドスピーカー（３；１０３）と、
前記ラウドスピーカー（３；１０３）を少なくとも部分的に覆うカバー（４）であって、前記カバー（４）によって、前記背面半分体（２）の前記背面壁（２５）によって、及び前記ラウドスピーカーの前記膜（３１；１３１ｂ）によって画定される背面チャンバ（Ｐ）を形成するように、前記背面半分体（２）の後方に配置される、カバー（４）と、を備え、
前記前面チャンバ（Ａ）及び前記背面チャンバ（Ｐ）は前記ラウドスピーカー（３；１０３）用のスピーカーとして働き、それにより、前記ラウドスピーカーは低周波数でサブウーファとして動作できる、ヘッドレスト（１００）。
【請求項２】
前記カバー（４）は、前記ラウドスピーカー（３；１０３）を支持するように、前記背面半分体（２）及び前記ラウドスピーカー（３；１０３）の両方に接続される、請求項１に記載のヘッドレスト（１００）。
【請求項３】
前記カバー（４）は前記背面半分体（２）に向かって突出するシャンク（４７）を備え、前記シャンク（４７）は、前記ラウドスピーカーの固定要素として及び前記ラウドスピーカーから前記カバーを一定の間隔で並べるスペーサとして働く、請求項２に記載のヘッドレスト（１００）。
【請求項４】
前記カバー（４）は前記カバーから下側位置で突出する音拡散パイプ（４１）を備え、前記音拡散器パイプ（４１）は、前記ラウドスピーカー（３；１０３）によって放出される前記音が前記音拡散パイプ（４１）に運ばれるように、前記背面チャンバ（Ｐ）と連通する、請求項１〜３のいずれか１項に記載のヘッドレスト（１００）。
【請求項５】
前記音拡散パイプ（４１）は前記背面半分体（２）の下を通過するように曲がり、前記前面半分体（１）に一致して終端する、請求項４に記載のヘッドレスト（１００）。
【請求項６】
前記前面半分体（１）は、前記前面チャンバ（Ａ）が外部と連通するように孔（１２）を含む、請求項４または５に記載のヘッドレスト（１００）。
【請求項７】
前記カバー（４）は、前記ヘッドレスト（１００）の背面に向かって前記背面チャンバ（Ｐ）から前記音を放出するのに適切である開口部（４５）を含む、請求項１〜３のいずれか１項に記載のヘッドレスト（１００）。
【請求項８】
前記背面半分体（２）は、前記前面チャンバ（Ａ）は前記背面チャンバ（Ｂ）と連通するように、孔（２２）を備える、請求項４〜７のいずれか１項に記載のヘッドレスト（１００）。
【請求項９】
前記ラウドスピーカー（３，１０３）は２０Ｈｚ〜３００Ｈｚに含まれる周波数で動作し、前記ラウドスピーカー（３；１０３）は６リットルよりも低い音量を有する、請求項１〜８のいずれか１項に記載のヘッドレスト（１００）。
【請求項１０】
前記ラウドスピーカー（３）は、
シートを画定するような切頂円錐形状を伴うバスケット（３０）と、
前記バスケット（３０）に固定され、磁場を生成するのに適切である磁気ユニット（３２）と、
前記バスケット（３０）の前記シート内に配置され、前記磁気ユニットの空隙の中心にある、可動コイルと、
前記可動コイル及び前記バスケットに固定される少なくとも１つのセンタリングデバイスと、
を備える、請求項１〜９のいずれか１項に記載のヘッドレスト（１００）。
【請求項１１】
前記ラウドスピーカー（１０３）は、
平坦な円環形を有し、環状シートを備える、ケース（１３０）と、
前記ケースの前記環状シートに内に配置される環状磁気ユニット（１３２）と、
前記ケース（１３０）によって囲まれるコイル（１３３）と、を備え、
少なくとも１つの前記膜は、
前記ケース（１３０）の前側に固定される前面膜（１３１ａ）と、
前記ケース（１３０）の後側に固定される背面膜（１３１ｂ）であって、前記前面チャンバ（Ａ）は、前記前面半分体（１）によって、前記背面半分体（２）によって、及び前記前面膜（１３１ａ）によって画定され、前記背面チャンバ（Ｐ）は、前記カバー（４）によって、前記背面半分体（２）の前記背面壁（２５）によって、及び前記ラウドスピーカーの前記背面膜（１３１ｂ）によって画定される、背面膜（１３１ｂ）と、を備える、請求項１〜９のいずれか１項に記載のヘッドレスト（１００）。
【請求項１２】
前記ラウドスピーカー（１０３）の前記ケース（１３０）は前記補強フレーム（５）の後方に配置される、請求項１１に記載のヘッドレスト（１００）。
【請求項１３】
一方が他方の前方に配置される２つのラウドスピーカー（１０３）を備える、請求項１１または１２に記載のヘッドレスト（１００）。
【請求項１４】
前記ヘッドレスト（１００）は、前記ヘッドレスト（１００）に取得されたシートの内側に配置された１つ以上のマイクロホン（Ｍ）を備える、請求項１〜１３のいずれか１項に記載のヘッドレスト（１００）。
【発明の詳細な説明】
【技術分野】
【０００１】
工業的発明に関する本特許出願は、車両シート用のラウドスピーカーを伴うヘッドレストに関する。
【背景技術】
【０００２】
サブウーファ（すなわち、低周波数に特殊化された拡散器）が加わった中間周波数及び高周波数で動作する複数の拡散器を備える車両用の音声システムは既知である。中間周波数−高周波数用の拡散器は、通常、車両のドアの上にまたは近くに、例えば、ダッシュボード上に配置される。対照的に、かなり扱いにくくなり、サブウーファは、車両トランクまたはシートの下等にある大型コンパートメント内だけに収容されることができる。
【０００３】
音楽を聞くために使用されることに加えて、当該システムは、道路上での車両ホイールの回転またはエンジンのノイズ等の環境ノイズをなくすまたは消すために使用されることができる。主に低周波数から成り、当該ノイズをなくす最良の方法は、サブウーファを使用することによるものであることが実証されている。
【０００４】
上記を考慮して、車両は、環境ノイズを検出するために、１つ以上のマイクロホンを備えるノイズ減少システムを備える。
【０００５】
ノイズ減少システムは、デジタル信号プロセッサ（ＤＳＰ）と呼ばれる制御ユニットを備え、デジタル信号プロセッサは、サブウーファが環境ノイズを消去するカウンタノイズを生成できるように、信号を生成し、その信号をサブウーファに送信するために、マイクロホンによって検出された電気信号を受信及び処理する。
【０００６】
当該ノイズ減少システムは、サブウーファによって生成されたカウンタノイズがサブウーファとユーザの耳との間の距離によって生じる遅延を伴って、ユーザの耳に到達する事実によって品質が悪くなる。その結果、カウンタノイズは、車両コンパートメント内の環境ノイズを効果的に消去できない。係る遅延は、良いタイミングで補正カウンタノイズを生成するために、デジタル信号プロセッサの能力を大幅に下げる。
【０００７】
ドアの拡散器及び車両トランクのサブウーファに加えて、車両のヘッドレストのラウドスピーカーも備える音声システムは既知である。係るシステムは、サラウンド効果によってノイズを生成する可能性がある。
【０００８】
そのシステムを配置できる空間を減らすために、ヘッドレストのラウドスピーカーは、サラウンド効果によって音楽を拡散するために使用される中間周波数−高周波数用のラウドスピーカーである。実際に、従来的サブウーファは、その大きいボリュームのためにヘッドレストに配置されることができない。
【０００９】
欧州特許出願公開第３０７２７３３号明細書は、ヘッドレストに配置される音響デバイスを開示する。
【先行技術文献】
【特許文献】
【００１０】
【特許文献１】欧州特許出願公開第３０７２７３３号明細書
【特許文献２】国際公開第２０１２／１７１８４６号
【発明の概要】
【発明が解決しようとする課題】
【００１１】
本発明の目的は、低周波数を再生するのに適切であり、音楽アプリケーション及びノイズ消去アプリケーションで使用されることができる、サブウーファタイプのラウドスピーカーを含有する車両用のヘッドレストを考案することによって、先行技術の欠点を克服することである。
【００１２】
別の目的は、事故の場合、ユーザにとって快適で、信頼性があり、安全である車両用のヘッドレストを開示することである。
【課題を解決するための手段】
【００１３】
これらの目的は、添付の独立項の請求項１の特性により本発明に従って達成される。
【００１４】
利点をもたらす実施形態は、従属請求項から現れる。
【００１５】
本発明のヘッドレストは、車両シートに締められるのに適切である。当該ヘッドレストは、ユーザの頭部が置かれる前面半分体を含む。前面半分体は凹面を有する。
【００１６】
本発明のヘッドレストは、前面半分体に接続される背面半分体を含む。背面半分体は、２つの半分体がチャンバを形成するように、前面半分体の凹面に向いている凹面を備える。背面半分体は、環状シートを画定する縁が設けられた通し壁を伴う背面壁を備える。
【００１７】
本発明のヘッドレストは、２つの半分体の少なくとも１つに接続され、車両シートに固定することが意図される、補強フレームを備える。
【００１８】
本発明のヘッドレストは、低周波数で動作するために、サブウーファタイプのラウドスピーカーを備える。ラウドスピーカーは少なくとも１つの膜を有する。ラウドスピーカーは、前面半分体、背面半分体、及びラウドスピーカーの膜によって画定される前面チャンバを画定するように、背面半分体のシート内に配置される。
【００１９】
本発明に従ったヘッドレストは、ラウドスピーカーを少なくとも部分的に覆い、カバーによって、背面半分体の背面壁によって、及びラウドスピーカーの膜によって画定される背面チャンバを形成するように、背面半分体の後方に配置される、カバーを備える。
【００２０】
ラウドスピーカーが低周波数でサブウーファとして動作できるように、前面チャンバ及び背面チャンバはラウドスピーカー用のスピーカーとして働く。
【００２１】
本発明の追加特徴は、以下の詳細な説明からより明らかになり、その説明は、単なる例証を言及し、添付図に示される実施形態を限定していない。
【図面の簡単な説明】
【００２２】
【図１】本発明による、ヘッドレストの不等角投影図である。
【図２】後面から見た、図１のヘッドレストの不等角投影図である。
【図３】図１の平面ＩＩＩ−ＩＩＩに沿ったフィルタの断面である。
【図４】標準的ラウドスピーカーに関する、図１のヘッドレストの分解不等角投影図である。
【図５】超平坦ラウドスピーカーに関する、図１のヘッドレストの分解不等角投影図である。
【図６】図５の超平坦ラウドスピーカーの分解不等角投影図である。
【図７】異なる音響負荷を取得するために、本発明に従ったヘッドレストの異なる構成を示す概略的側面図である。
【図８】異なる音響負荷を取得するために、本発明に従ったヘッドレストの異なる構成を示す概略的側面図である。
【図９】異なる音響負荷を取得するために、本発明に従ったヘッドレストの異なる構成を示す概略的側面図である。
【図１０】異なる音響負荷を取得するために、本発明に従ったヘッドレストの異なる構成を示す概略的側面図である。
【図１１】異なる音響負荷を取得するために、本発明に従ったヘッドレストの異なる構成を示す概略的側面図である。
【図１２】異なる音響負荷を取得するために、本発明に従ったヘッドレストの異なる構成を示す概略的側面図である。
【図１３】本発明による、マイクロホンを備えるヘッドレストの不等角投影図である。
【発明を実施するための形態】
【００２３】
図１〜図４を参照して、参照数字（１００）で全体的に示される本発明に従ったヘッドレストが開示される。
【００２４】
ヘッドレスト（１００）は、車両シートに締められるのに適切である。ヘッドレスト（１００）は、ユーザの頭部が置かれた前面半分体（１）と、接続手段（Ｃ）によって前面半分体（１）に接続される背面半分体（２）とを備える。接続手段（Ｃ）は、ねじ及び固定ブロックを備えることで利点をもたらす。
【００２５】
２つの半分体（１，２）は凹面である。前面半分体（１）の凹面は、チャンバを形成するように、背面半分体（２）の凹面に向いている。
【００２６】
補強フレーム（５）は、２つの半分体の間に、チャンバ内に部分的に配置される。補強フレーム（５）は「Ｕ字に曲がる」管形状を有する。補強フレーム（５）は、２つの半分体から下側位置で突出する２つの直線区分（５０）と、２つの半分体の間のチャンバ内に配置される接続区分（５１）とを含む。補強フレームの直線区分（５０）は、ヘッドレスト（１００）をシートに締めるように、車両シートの孔の内側に挿入されるのに適切である。代替として、補強フレーム（５）は、半分体または両方の半分体に、下側位置で接続される少なくとも１つのロッドを備え得る。
【００２７】
図４を参照すると、背面半分体（２）は背面壁（２５）を備え、貫通孔（２６）が取得され、ラウドスピーカー（３）を受容及び支持するのに適切である環状シート（２０）を画定する縁によって画定される。貫通孔（２６）は、ラウドスピーカー（３）が当該貫通孔（２６）を完全に覆うように適切に寸法決定される。
【００２８】
ヘッドレスト（１００）は、背面半分体（２）の後方に配置されるカバー（４）を備える。カバー（４）は、ラウドスピーカーを少なくとも部分的に覆うように、背面半分体の背面壁（２５）に固定される。随意に、カバー（４）は、また、ラウドスピーカー（３）に接続され、ラウドスピーカーを支持できる。カバー（４）はディスク状形状を有する。
【００２９】
カバー（４）は、
外向き凹面を伴う凹面中心部（４６）と、
平面周辺部（４２）と、
周辺部（４２）の前面から突出する円筒形側壁（４３）と、を備える。
【００３０】
シャンク（４７）は背面半分体（２）に向いているカバーの周辺部から突出する。当該シャンク（４７）は、ねじ手段（Ｖ）を受けて、カバー（４）を背面半分体（２）に固定するために、貫通孔が設けられている。
【００３１】
側方壁（４３）は、背面半分体（２）の背面壁に対して接触するのに適切な縁（４４）を含む。
【００３２】
背面半分体（２）は、カバーのシャンク（４７）を通過するねじ手段（Ｖ）を受けるねじ孔（２３）を備える。
【００３３】
ラウドスピーカー（３）はサブウーファタイプであり、低周波数（すなわち、２０Ｈｚ〜３００Ｈｚの周波数、好ましくは、５０Ｈｚよりも低い周波数）で動作する。ラウドスピーカー（３）は、６リットルよりも低いボリュームと、２０ｇよりも大きい可動主要部とを有する。
【００３４】
ラウドスピーカー（３）は標準型サブウーファであり得、
シートを画定するような切頂円錐形状を伴うバスケット（３０）と、
バスケット（３０）に固定され、磁場を生成するのに適切である磁気ユニット（３２）と、
バスケット（３０）のシート内に配置され、磁気ユニットの空隙の中心にある、可動コイルと、
バスケット（３０）及び可動コイルに接続される膜（３１）（図３及び図７に示される）と、
可動コイル及びバスケットに固定される少なくとも１つのセンタリングデバイスと、を備える。
【００３５】
バスケット（３０）は穿孔した固定部（３６）が突出する周辺縁（３５）を有し、カバー（４）のシャンク（４７）に接し、ねじ手段（Ｖ）が交差する。上記を考慮して、シャンク（４７）は、ラウドスピーカーの固定要素として及びラウドスピーカーのカバーを離すスペーサとして働き、バスケットの周辺縁（３５）をカバー（４）から一定の距離に維持する。バスケット（３０）は背面半分体の環状シート（２０）内に挿入される。
【００３６】
磁気ユニット（３２）は、バスケットの中央縁（３７）に固定される。したがって、磁気ユニット（３２）及びバスケット（３０）の一部は、２つの半分体の間のチャンバ内に配置される。
【００３７】
ラウドスピーカー（３）及びカバー（４）を搭載した後に、以下の
２つの半分体とラウドスピーカーの膜（３１）との間に形成された、前面チャンバ（Ａ）と、
カバー（４）によって、ラウドスピーカーの膜（３１）によって、及び背面半分体（２）の背面壁（２５）によって形成される背面チャンバ（Ｐ）と、を取得する。
【００３８】
背面半分体の背面壁（２５）及び膜（３１）は、前面チャンバ（Ａ）と背面チャンバ（Ｐ）との間のパーティションとして働く。
【００３９】
したがって、前面チャンバ（Ａ）及び背面チャンバ（Ｐ）は、ラウドスピーカー（３）用のスピーカーとして働き、扱いにくいスピーカーを必要することなく、低周波数でサブウーファとしてラウドスピーカー（３）を使用することを可能にする。係るスピーカーは、低周波数の音響負荷の異なる種類で構成され得る。
【００４０】
図４及び図７は「４次バンドパス」と呼ばれる第１の種類の音響負荷を示し、カバー（４）は、カバー（４）から下側位置で突出する音拡散パイプ（４１）を備える。拡散パイプ（４１）は背面半分体（２）の下を通過するように曲がり、前面半分体（１）に一致して終端する。音拡散器パイプ（４１）は、ラウドスピーカー（３）によって放出される音が音拡散パイプ（４１）に運ばれるように、背面チャンバ（Ｐ）と連通する。係る場合、前面チャンバ（Ａ）及び背面チャンバ（Ｐ）は分離されている。
【００４１】
図８は「インターポート」と呼ばれる第２の種類の音響負荷を示し、これは第１の種類の音響負荷と異なる。この理由として、背面半分体（２）は、前面チャンバ（Ａ）及び背面チャンバ（Ｐ）が連通するような孔（２２）を含むためである。
【００４２】
図９は「デュアルレフ」と呼ばれる第３の種類の音響負荷を示し、これは第１の種類の音響負荷と異なる。この理由として、背面半分体（１）は、前面チャンバ（Ａ）が外部と連通するような孔（１２）を含むためである。
【００４３】
図１０は第４の種類の音響負荷を示し、これは第１の種類の音響負荷と異なる。この理由として、背面半分体（１）及び後面半分体（２）は、前面チャンバ（Ａ）が外部と連通し、背面チャンバ（Ｐ）が前面チャンバ（Ａ）と連通するような孔（１２，２２）を含むためである。
【００４４】
図１１は「クローズボックス」と呼ばれる第５の種類の音響負荷を示し、カバー（４）は、ヘッドレスト（１００）の背面に向かって背面チャンバ（Ｐ）から音を発するのに適切である開口部（４５）を含む。係る場合、前面チャンバ（Ａ）及び背面チャンバ（Ｐ）は分離されている。
【００４５】
図１２は「バスレフ」と呼ばれる第６の種類の音響負荷を示し、これは第５の種類の音響負荷と異なる。この理由として、背面半分体（２）は、前面チャンバ（Ａ）及び背面チャンバ（Ｐ）が連通するような孔（２２）を含むためである。
【００４６】
図５及び図６を参照すると、標準型ラウドスピーカー（３）の代替として、ヘッドレスト（１００）は超平坦型サブウーファラウドスピーカー（１０３）を備え得る。係る種類のラウドスピーカーは、国際公開第２０１２／１７１８４６号に開示されている。
【００４７】
当該ラウドスピーカー（１０３）は、
平坦な円環形を有し、環状シートを備える、ケース（１３０）と、
ケースの環状シートに内に配置される環状磁気ユニット（１３２）と、
ケース（１３０）によって囲まれるコイル（１３３）と、
ケース（１３０）の前側に固定される前面膜（１３１ａ）と、
ケース（１３０）の後側に固定される背面膜（１３１ｂ）と、を備える。
【００４８】
ケース（１３０）は、磁気ユニット（１３２）を包囲するように結合される２つの半分体（１３０ａ）及び（１３０ｂ）を備える。
【００４９】
ラウドスピーカー（１０３）は背面半分体（２）の環状シート（２０）内に配置され、その状態では、前面膜（１３１ａ）が前面半分体（１）に向き、背面膜（１３１ｂ）がカバー（４）に向いている。係る場合、前面チャンバ（Ａ）は、前面半分体（１）によって、背面半分体（２）によって、及び前面膜（１３１ａ）によって画定される。代わりに、背面チャンバ（Ｐ）は、カバー（４）によって、背面半分体（２）の背面壁（２５）によって、及びラウドスピーカーの膜（１３１ｂ）によって形成される。
【００５０】
当該構造により、ラウドスピーカー（１０３）はバスケットを必要としないため、ひいては、それは、標準的ラウドスピーカー（３）よりも小さいボリュームを有する。このように、小さい厚さを伴うコンパクトなヘッドレストを取得できる。
【００５１】
さらに、超平坦ラウドスピーカー（１０３）を伴うヘッドレストは、標準的ラウドスピーカー（３）を伴うヘッドレストよりも設計することが容易になる。実際に、当該ケースの開口部が、ユーザが通常自分の頭部を置くエリア内に配置されるように、超平坦ラウドスピーカー（１０３）の環状ケース（１３０）を配置されることができる。
【００５２】
標準的ラウドスピーカー（３）は、軸方向に配置され、補強要素が設けられた扱いにくいバスケット（３０）を有することに留意する必要がある。係る種類のバスケットは補強フレーム（５）に対して突出する。したがって、係る種類のバスケットは、事故の場合に危険であり得る。
【００５３】
代わりに、超平坦ラウドスピーカー（１０３）は、バスケットを有しなく、事故の場合に安全である閉じられたコンパクトケースが設けられている。さらに、ユーザの頭部は、補強フレームの接続区分（５１）の後方にケース（１３０）を配置することによって保護されることができる。
【００５４】
さらに、超平坦ラウドスピーカーのかなり小さい厚さにより、２つの超平坦ラウドスピーカーは、プッシュプッシュ式構成で、機械的に反対に（すなわち、一方が他方の前方にあるように）配置されることができる。上記を考慮して、ラウドスピーカーの可動主要部によって生じる振動は、信号を処理する必要がなくリアルタイムで消去されることができ、環境ノイズの生成において遅延を取り入れる。ヘッドレスト（１００）のラウドスピーカーは、音楽拡散のためのステレオシステムに接続されることができる、または、環境ノイズをなくすために、制御ユニット（図に示されない）に接続されることができる。
【００５５】
図１３を参照すると、ヘッドレスト（１００）は、随意に、ヘッドレスト（１００）の前面、背面、及び／または側面に取得されたヘッドレスト（１００）のシートの内側に配置された少なくとも１つのマイクロホン（Ｍ）を備える。具体的には、マイクロホン（Ｍ）は、２つの半分体の一方に取得されたシートの内側に、またはカバー（４）上に、もしくはカバー（４）から下側位置で突出する音拡散パイプ（４１）上に配置されることができる。
【００５６】
マイクロホン（Ｍ）は、例えば、イコライゼーションのための、電話通信するための、及び／またはユーザによって与えられた音声制御を検出するために、フィードバック音響信号を生成するため等の音響用途に使用されることができる。
【００５７】
マイクロホン（Ｍ）は、環境ノイズを消去するために、制御ユニットに接続されることができる。マイクロホン（Ｍ）は環境ノイズを検出し、制御ユニットを伝達する電気信号を生成する。制御ユニットはデジタル信号プロセッサ（ＤＳＰ）が設けられ、デジタル信号プロセッサ（ＤＳＰ）は、マイクロホン（Ｍ）によって伝達された電気信号を処理し、ラウドスピーカーが環境ノイズを消去するカウンタノイズを放出するように、信号をラウドスピーカーに伝達する。ラウドスピーカーがヘッドレスト（１００）にあるという事実により、ラウドスピーカーによって生成されたカウンタノイズは、遅延がなく、ユーザの耳に到達する。ユーザの耳の近くのヘッドレスト（１００）に配置され、マイクロホン（Ｍ）は、ユーザの耳によって感知されるとき、環境ノイズを正確にキャプチャする。その結果、ラウドスピーカーは、遅延がなくユーザによって感知された環境ノイズを効果的に消去するカウンタノイズを生成できる。
【００５８】
ヘッドレスト（１００）は、ノイズキャプチャシステムを取得するように構成されるのに適切なマイクロホン（Ｍ）のアレイを含むことで利点をもたらす。
【００５９】
アレイのマイクロホン（Ｍ）は、異なる構成に従って、ヘッドレスト（１００）に配置されることができる。
【００６０】
例えば、マイクロホンのアレイは、
前面半分体及び／または背面半分体の上側位置に取得されたシートの内側に配置されたマイクロホンの第１のセットと、
前面半分体及び／または背面半分体の下側位置で取得されたシートの内側に配置されたマイクロホンの第２のセットと、
前面半分体及び／または背面半分体の第１の側に取得されたシートの内側に配置されたマイクロホンの第３のセットと、
前面半分体及び／または背面半分体の第２の側に取得されたシートの内側に配置されたマイクロホンの第４のセットと、
を含み得る。
【００６１】
代替として、マイクロホンのアレイは、
前面半分体及び／または背面半分体の周辺部の周りの前方位置に取得されたシートの内側に、
前面半分体及び／または背面半分体の周辺部の周りの横方向位置に取得されたシートの内側に、
配置されるマイクロホン（Ｍ）を備える。
【００６２】
代替として、または加えて、マイクロホンのアレイの１つ以上のマイクロホン（Ｍ）は、カバー（４）上に配置されることができる。例えば、１つ以上のマイクロホン（Ｍ）は、カバーの側方壁（４３）に、音拡散パイプ（４１）の側面に、及び／または音拡散パイプ（４１）の口に配置されることができる。
【００６３】
マイクロホンのアレイがヘッドレストに配置される事実により、ヘッドレスト（１００）が接続されるシート上に座っているユーザによって感知された環境ノイズだけでなく、ヘッドレスト（１００）の近くで感知された環境ノイズもキャプチャできる。
【００６４】
さらに、当該マイクロホン（Ｍ）は、また、ヘッドレスト（１００）が接続されるシート上に座っている乗客から来る音をキャプチャするために使用されることができる。
【００６５】
制御ユニットは、マイクロホンの様々な機能を行うために、係るマイクロホンの最も適切な構成を使用できる。具体的には、マイクロホンは、例えば、ヘッドレスト（１００）が接続されるシート上に座っているユーザ等の、特定の音源から来る音をキャプチャする「指向性」マイクロホンとして使用されることができる、またはヘッドレスト（１００）の周りで感知された環境ノイズをキャプチャするための環境マイクロホンとして使用されることができる。マイクロホン（Ｍ）がユーザの口及び耳の近くのヘッドレスト（１００）に配置される理由により、係る利点をもたらすことが可能である。
【００６６】
電子的に多用途であることに加えて、マイクロホンのアレイは、また、機械的に多用途である。実際に、マイクロホンは、ヘッドレスト（１００）の異なる位置に配置されることができる。マイクロホンのアレイの多岐にわたる位置のために、ヘッドレスト（１００）の設計は、美学的制約または機械的制約がない。
【００６７】
多くの変形及び修正は、添付の請求項によって開示される本発明の範囲内のいずれかの場合に収まる当業者の理解できる範囲内の本発明の実施形態にされることができる。
【図１】
2021510990.tif 000003
【図２】
2021510990.tif 000004
【図３】
2021510990.tif 000005
【図４】
2021510990.tif 000006
【図５】
2021510990.tif 000007
【図６】
2021510990.tif 000008
【図７】
2021510990.tif 000009
【図８】
2021510990.tif 000010
【図９】
2021510990.tif 000011
【図１０】
2021510990.tif 000012
【図１１】
2021510990.tif 000013
【図１２】
2021510990.tif 000014
【図１３】
2021510990.tif 000015
【国際調査報告】
2021510990.tif 000016
2021510990.tif 000017